(57)【要約】      （修正有）【課題】より少ないエネルギで、冷却風通路に十分な量の空気を流して制御ユニットを冷却することができる技術を提供する。【解決手段】ブロワは、空気が流入する吸気孔１６ａおよび空気が流出する送気孔を有する空気通路４０と、空気通路に配置されており吸気孔から送気孔に向けて空気を送るファンと、ファンを回転させるモータと、モータの駆動を制御する制御ユニット５８と、制御ユニットを収容する収容室５４と、を備えていてもよい。収容室は、ブロワの外部と収容室とを連通する第１連通孔６６、および前記ファンよりも吸気孔側の空気通路と収容室とを連通する第２連通孔６４を有していてもよい。収容室内には、第１連通孔から流入した空気が、制御ユニットを通過して、第２連通孔から流出する冷却風通路が形成されていてもよい。ファンの回転軸に沿う方向に関して、第１連通孔がファンよりも吸気孔側に配置されていてもよい。【選択図】図４
2020193580.tif 000002
【特許請求の範囲】
【請求項１】
ブロワであって、
空気が流入する吸気孔、および空気が流出する送気孔を有する空気通路と、
前記空気通路に配置されており、前記吸気孔から前記送気孔に向けて空気を送るファンと、
前記ファンを回転させるモータと、
前記モータの駆動を制御する制御ユニットと、
前記制御ユニットを収容する収容室と、を備えており、
前記収容室は、前記ブロワの外部と前記収容室とを連通する第１連通孔、および前記ファンよりも前記吸気孔側の前記空気通路と前記収容室とを連通する第２連通孔を有しており、
前記収容室内には、前記第１連通孔から流入した空気が、前記制御ユニットを通過して、前記第２連通孔から流出する冷却風通路が形成されており、
前記ファンの回転軸に沿う方向に関して、前記第１連通孔が前記ファンよりも前記吸気孔側に配置されている、ブロワ。
【請求項２】
前記冷却風通路が、９０°よりも小さい角度で折り返すことなく前記第１連通孔から前記制御ユニットを通過して前記第２連通孔に到達する通路を含む、請求項１に記載のブロワ。
【請求項３】
前記モータに電力を供給するバッテリと、
前記バッテリが着脱可能に取り付けられるバッテリターミナルと、をさらに備えており、
前記バッテリターミナルの少なくとも一部が、前記収容室内に配置されており、
前記冷却風通路を流れる空気が、前記バッテリターミナルの前記少なくとも一部と、前記制御ユニットと、を通過する、請求項１または２に記載のブロワ。
【請求項４】
前記制御ユニットと前記バッテリターミナルの前記少なくとも一部とが、前記収容室内で互いに対向して配置されており、
前記冷却風通路を流れる空気が、前記制御ユニットと前記バッテリターミナルの前記少なくとも一部との間を通過する、請求項３に記載のブロワ。
【請求項５】
前記制御ユニットは、前記ファンの前記回転軸に沿う方向に対して傾斜している、請求項１から４のいずれか一項に記載のブロワ。
【請求項６】
前記ファンは、軸流ファンである、請求項１から５のいずれか一項に記載のブロワ。
【請求項７】
作業者が手で把持して前記ブロワを持ち運ぶことが可能なハンドルをさらに備えている、請求項１から６のいずれか一項に記載のブロワ。
【発明の詳細な説明】
【技術分野】
【０００１】
本明細書で開示する技術は、ブロワに関する。
【背景技術】
【０００２】
特許文献１には、ブロワが開示されている。前記ブロワは、空気通路と、ファンと、モータと、制御ユニットと、収容室と、を備えている。空気通路は、空気が流入する吸気孔と空気が流出する送気孔とを有している。ファンは、空気通路に配置されており、吸気孔から送気孔に向けて空気を送る。モータは、ファンを回転させる。制御ユニットは、モータの駆動を制御する。収容室は、制御ユニットを収容する。また、収容室は、ブロワの外部と収容室とを連通する第１連通孔、およびファンよりも吸気孔側の空気通路と収容室とを連通する第２連通孔を有している。収容室内には、第１連通孔から流入した空気が制御ユニットを通過して第２連通孔から流出する冷却風通路が形成されている。ファンの回転軸に沿う方向に関して、第１連通孔は、ファンよりも送気孔側に配置されている。
【０００３】
上記のようなブロワでは、ファンが回転すると、空気は、第１連通孔から冷却風通路に流入し、制御ユニットを通過して、第２連通孔から空気通路に流れる。これにより、制御ユニットが冷却される。
【先行技術文献】
【特許文献】
【０００４】
【特許文献１】特開２０１６−７９７５１号公報
【発明の概要】
【発明が解決しようとする課題】
【０００５】
上記のブロワでは、冷却風通路が、ファンの回転軸に沿う方向に関して、ファンよりも送気孔側に配置されている第１連通孔からファンよりも吸気孔側に配置されている第２連通孔まで延びている。このため、冷却風通路が長く、冷却風通路を流れる空気の圧力損失が大きい。この結果、冷却風通路に十分な量の空気を流して制御ユニットを冷却するためには、より多くのエネルギが必要である。本明細書では、より少ないエネルギで、冷却風通路に十分な量の空気を流して制御ユニットを冷却することができる技術を提供する。
【課題を解決するための手段】
【０００６】
本明細書は、ブロワを開示する。ブロワは、空気通路と、ファンと、モータと、制御ユニットと、収容室と、を備えている。空気通路は、空気が流入する吸気孔、および空気が流出する送気孔を有する。ファンは、空気通路に配置されており、吸気孔から送気孔に向けて空気を送る。モータは、ファンを回転させる。制御ユニットは、モータの駆動を制御する。収容室は、制御ユニットを収容する。収容室は、ブロワの外部と収容室とを連通する第１連通孔、およびファンよりも吸気孔側の空気通路と収容室とを連通する第２連通孔を有する。収容室には、第１連通孔から流入した空気が、制御ユニットを通過して、第２連通孔から流出する冷却風通路が形成されている。ファンの回転軸に沿う方向に関して、第１連通孔がファンよりも吸気孔側に配置されている。
【０００７】
上記の構成では、冷却風通路が、ファンの回転軸に沿う方向に関して、ファンよりも吸気孔側に配置されている第１連通孔からファンよりも吸気孔側に配置されている第２連通孔まで延びている。このため、第１連通孔がファンよりも送気孔側に配置されており、第２連通孔がファンよりも吸気孔側に配置されている構成と比較して、冷却風通路を短くすることができ、冷却風通路を流れる空気の圧力損失を小さくすることができる。より少ないエネルギで、冷却風通路に十分な量の空気を流して制御ユニットを冷却することができる。
【図面の簡単な説明】
【０００８】
【図１】実施例のブロワ２の斜視図である。
【図２】実施例のブロワ２の前後方向の中央近傍を前後方向に直交する平面で切断した断面図である。
【図３】実施例のブロワ２の下部ハウジング１４近傍を左右方向に直交する平面で切断した断面図である。
【図４】実施例のブロワ２の上部ハウジング２０近傍を左右方向に直交する平面で切断した断面図である。
【発明を実施するための形態】
【０００９】
１つまたはそれ以上の実施形態において、冷却風通路が、９０°よりも小さい角度で折り返すことなく第１連通孔から制御ユニットを通過して第２連通孔に到達する通路を含んでいてもよい。
【００１０】
上記の構成では、冷却風通路を流れる空気は、９０°よりも小さい角度で折り返すことなく、第１連通孔から制御ユニットを通過して第２連通孔に流れる。このため、空気が９０°よりも小さい角度で折り返す場合と比較して、冷却風通路を流れる空気の圧力損失が小さい。この結果、より少ないエネルギで、冷却風通路に十分な量の空気を流して制御ユニットを冷却することができる。
【００１１】
１つまたはそれ以上の実施形態において、ブロワは、バッテリと、バッテリターミナルと、をさらに備えていてもよい。バッテリは、モータに電力を供給してもよい。バッテリターミナルには、バッテリが着脱可能に取り付けられてもよい。バッテリターミナルの少なくとも一部は、収容室に配置されていてもよい。冷却風通路を流れる空気が、バッテリターミナルの少なくとも一部と、制御ユニットと、を通過してもよい。
【００１２】
上記の構成では、冷却風通路を流れる空気は、バッテリターミナルの少なくとも一部と制御ユニットとを通過する。このため、バッテリターミナルと制御ユニットとの両方を冷却することができる。
【００１３】
１つまたはそれ以上の実施形態において、制御ユニットとバッテリターミナルの少なくとも一部とが、収容室内で互いに対向して配置されていてもよい。冷却風通路を流れる空気が、制御ユニットとバッテリターミナルの少なくとも一部との間を通過してもよい。
【００１４】
上記の構成では、冷却風通路を流れる空気が、制御ユニットとバッテリターミナルの少なくとも一部との間を通過する際に、制御ユニットとバッテリターミナルとの両方を冷却する。このため、空気が制御ユニットとバッテリターミナルの少なくとも一部とのうちの一方を通過した後に制御ユニットとバッテリターミナルの少なくとも一部とのうちの他方を通過する構成と比較して、冷却風通路をより短くすることができ、冷却風通路を流れる空気の圧力損失をより小さくすることができる。
【００１５】
１つまたはそれ以上の実施形態において、制御ユニットは、ファンの回転軸に沿う方向に対して傾斜していてもよい。
【００１６】
一般的なブロワでは、ファンの回転軸に沿う方向がブロワの長手方向となっている。上記の構成では、ブロワの長手方向に関して、制御ユニットを収容する収容室を小さくすることができ、ブロワを長手方向に小型化することができる。
【００１７】
１つまたはそれ以上の実施形態において、ファンは、軸流ファンであってもよい。
【００１８】
上記の構成では、ファンが遠心ファンである場合と比較して、ブロワを小型化することができる。
【００１９】
１つまたはそれ以上の実施形態において、ブロワは、作業者が手で把持してブロワを持ち運ぶことが可能なハンドルをさらに備えていてもよい。
【００２０】
上記の構成では、作業者によるブロワの取り回しをよくすることができる。
【００２１】
（実施例）
図１から図４を参照して、実施例のブロワ２を説明する。ブロワ２は、例えば、落ち葉等を吹き集めるために使用される送風作業機である。図１に示すように、ブロワ２は、バッテリ４と、本体１０と、を備えている。なお、以下の説明では、ブロワ２の長手方向をブロワ２の前後方向と呼び、前後方向に直交する方向をブロワ２の上下方向と呼び、前後方向および上下方向に直交する方向をブロワ２の左右方向と呼ぶ。
【００２２】
本体１０は、本体ハウジング１２と、上部ハンドル２４と、下部ハンドル３０と、を備えている。本体ハウジング１２は、下部ハウジング１４と、カバー部材１６と、上部ハウジング２０と、を備えている。下部ハウジング１４は、前後方向に長手方向を有する。下部ハウジング１４の長手方向の両端は、開口している。下部ハウジング１４は、下部ハウジング１４の長手方向の後端開口から前端開口に向かって延びる空間を内部に有する。
【００２３】
カバー部材１６は、下部ハウジング１４の後端開口を覆っている。図２に示すように、カバー部材１６は、複数の吸気孔１６ａを有する。複数の吸気孔１６ａは、カバー部材１６を厚み方向に貫通している。複数の吸気孔１６ａは、ブロワ２の外部と下部ハウジング１４の内部の空間とを連通している。
【００２４】
図１に示すように、上部ハウジング２０は、下部ハウジング１４の後方上面に設けられている。上部ハウジング２０の後面には、バッテリ４が取り付けられる。バッテリ４から供給される電力によって、ブロワ２は駆動する。
【００２５】
上部ハンドル２４は、支持部２４ａと把持部２４ｂとを備えている。支持部２４ａは、下部ハウジング１４の前方上面から上方に向かって延びている。把持部２４ｂは、支持部２４ａの上方後面から後方に向かって延びて、上部ハウジング２０の前面に接続されている。把持部２４ｂの断面形状は、略円形状である。作業者は、把持部２４ｂを手で把持することによって、ブロワ２を持ち運ぶことができる。
【００２６】
把持部２４ｂの下面には、トリガスイッチ２６が配置されている。トリガスイッチ２６は、作業者がブロワ２の駆動を操作するためのスイッチである。トリガスイッチ２６が押し上げられているとき、ブロワ２は駆動する。一方、トリガスイッチ２６を押し上げられていないとき、ブロワ２は駆動しない。
【００２７】
下部ハンドル３０は、下部ハウジング１４の下面から下方に突出している。下部ハンドル３０は前後方向に延びている。図２に示すように、下部ハンドル３０の左側面３０ａと右側面３０ｂとは、互いに接近する方向に向かって凹んでいる。作業者は、上部ハンドル２４の把持部２４ｂを一方の手で把持したとき、下部ハンドル３０を他方の手で把持することができる。
【００２８】
図３に示すように、本体１０は、外側筒部材３４と、ノズル３６と、複数のフィン４２と、内側筒部材４４と、をさらに備えている。外側筒部材３４は、下部ハウジング１４の内部の空間に配置されている。外側筒部材３４は、前後方向に延びる筒形状を有する。
【００２９】
ノズル３６の一端は、外側筒部材３４の前端開口に挿通されている。ノズル３６は、下部ハウジング１４に固定されている。ノズル３６は、ブロワ２の長手方向に延びる筒形状を有する。以下では、ノズル３６の他端開口を送気孔３６ａ（図１参照）と呼ぶ。
【００３０】
カバー部材１６の吸気孔１６ａとノズル３６の送気孔３６ａとの間には空気通路４０が形成されている。空気通路４０は、外側筒部材３４の内周面と、ノズル３６の内周面と、内側筒部材４４の外周面と、カバー部材１６と、下部ハウジング１４と、によって画定されている。空気通路４０は、ブロワ２の長手方向に延びている。空気通路４０は、ブロワ２の長手方向の一端（即ち前端）に送気孔３６ａを有しており、ブロワ２の長手方向の他端（即ち後端）に吸気孔１６ａを有している。空気通路４０は、吸気孔１６ａと送気孔３６ａとのそれぞれを介して、ブロワ２の外部と連通している。
【００３１】
複数のフィン４２は、外側筒部材３４の内周面に接続されている。図示省略しているが、複数のフィン４２は、外側筒部材３４の内周面の円周方向に対して互いに等間隔に配置されている。複数のフィン４２は、外側筒部材３４の内周面から外側筒部材３４の中心軸に向かって延びている。複数のフィン４２は、空気通路４０を通過する空気を旋回させる。
【００３２】
内側筒部材４４は、複数のフィン４２によって支持されている。内側筒部材４４の外周面には、複数のフィン４２が接続されている。内側筒部材４４は、ブロワ２の長手方向に延びている。内側筒部材４４の外周面の直径は、後端から中間位置まで一定であり、中間位置から前端に向けて徐々に小さくなる。
【００３３】
内側筒部材４４の内部には、モータ４６が収容されている。モータ４６は、例えば、インナロータ型のブラシレスモータである。バッテリ４からモータ４６に電力が供給されると、モータ４６のシャフト４８が回転軸Ｘを中心にして回転する。回転軸Ｘは、外側筒部材３４の中心軸と一致する。回転軸Ｘに沿う方向は、ブロワ２の長手方向と一致する。図３では、回転軸Ｘが一点鎖線で図示されている。
【００３４】
シャフト４８の一端は、内側筒部材４４の後端から内側筒部材４４の外部に突出している。シャフト４８の一端には、ファン５２が固定されている。ファン５２は、軸流ファンである。ファン５２は、回転軸Ｘを中心にして回転する。ファン５２は、回転軸Ｘに沿って、後方から空気を吸引して、前方に空気を送り出す。シャフト４８が回転すると、ファン５２は、連動して回転する。これにより、ブロワ２の外部の空気は、吸気孔１６ａから空気通路４０に流入し、送気孔３６ａからブロワ２の外部に流出する。
【００３５】
図４に示すように、ブロワ２は、制御ユニット５８と、バッテリターミナル６０と、をさらに備えている。制御ユニット５８は、上部ハウジング２０の内部に形成されている収容室５４に収容されている。制御ユニット５８は、上部ハウジング２０に固定されている。制御ユニット５８は、回転軸Ｘに沿う方向に関して、ファン５２よりも吸気孔１６ａ側に配置されている。制御ユニット５８は、例えば、複数のスイッチング素子対を備えており、モータ４６に供給される電力を制御することにより、モータ４６の駆動を制御する。制御ユニット５８は、トリガスイッチ２６に加えられた操作に応じて、モータ４６の駆動を制御する。制御ユニット５８は、回転軸Ｘに沿う方向に対して傾斜している。
【００３６】
上部ハウジング２０の後面には、バッテリターミナル６０が取り付けられている。バッテリターミナル６０は、上部ハウジング２０の後面を厚み方向に貫通している。バッテリターミナル６０は、収容室５４と上部ハウジング２０の外部との両方に露出している。以下では、バッテリターミナル６０の収容室５４に露出している部分を、内部露出部分６０ａと呼び、バッテリターミナル６０の上部ハウジング２０の外部に露出している部分を、外部露出部分６０ｂと呼ぶ。バッテリターミナル６０は、内部露出部分６０ａが制御ユニット５８と対向するように配置されている。バッテリターミナル６０は、回転軸Ｘに沿う方向に関して、制御ユニット５８よりも吸気孔１６ａ側に配置されている。バッテリターミナル６０の外部露出部分６０ｂには、バッテリ４が着脱可能に取り付けられる。バッテリターミナル６０は、配線（図示省略）を介して制御ユニット５８に接続されている。
【００３７】
本体１０は、第２連通孔６４を有する。図４では、第２連通孔６４の位置を理解し易くするために、第２連通孔６４が破線によって図示されている。第２連通孔６４は、回転軸Ｘに沿う方向に関して、ファン５２よりも吸気孔１６ａ側であって（図３参照）、制御ユニット５８よりもファン５２側に配置されている。第２連通孔６４は、外側筒部材３４の後端と下部ハウジング１４と間に形成されている。第２連通孔６４は、ファン５２よりも吸気孔１６ａ側の空気通路４０と収容室５４とを連通している。このため、空気通路４０には、吸気孔１６ａから流入する空気と、第２連通孔６４から流入する空気とが流れる。
【００３８】
上部ハウジング２０は、複数（本実施例では８個）の第１連通孔６６を有する。本実施例では、４個の第１連通孔６６が上部ハウジング２０の左側面に配置されており（図４参照）、残りの４個の第１連通孔６６が上部ハウジング２０の右側面に配置されている（図１参照）。第１連通孔６６は、上部ハウジング２０を厚み方向に貫通している。第１連通孔６６は、収容室５４と上部ハウジング２０の外部（即ちブロワ２の外部）とを連通している。第１連通孔６６は、回転軸Ｘに沿う方向に関して、ファン５２よりも吸気孔１６ａ側に配置されており、かつ第２連通孔６４よりも吸気孔１６ａ側に配置されている。第１連通孔６６は、ブロワ２を左右方向から見たとき、制御ユニット５８とバッテリターミナル６０の内部露出部分６０ａとの間に配置されている。
【００３９】
図４に示すように、収容室５４には、冷却風通路７０が形成されている。図４では、冷却風通路７０の一例が実線矢印によって図示されている。冷却風通路７０は、第１連通孔６６から第２連通孔６４に到達する通路である。冷却風通路７０は、制御ユニット５８とバッテリターミナル６０の内部露出部分６０ａとの間を通過する。冷却風通路７０は、制御ユニット５８とバッテリターミナル６０の内部露出部分６０ａとの間を通過した後、角度αで屈曲して、第２連通孔６４に到達する。角度αは、９０°以上である。即ち、本実施例の冷却風通路７０は、９０°よりも小さい角度で折り返すことなく、第１連通孔６６から第２連通孔６４に到達する通路である。図４では、制御ユニット５８とバッテリターミナル６０の内部露出部分６０ａとの間を通過している部分の冷却風通路７０の延長線７２ａ、および第２連通孔６４に到達する部分の冷却風通路７０の延長線７２ａが一点鎖線によって図示されている。角度αは、延長線７２ａと延長線７２ｂとの間に形成される角度である。
【００４０】
ブロワ２においてファン５２が回転すると、空気は、第１連通孔６６から収容室５４に流入する。収容室５４に流入した空気は、冷却風通路７０を通過する。空気は、制御ユニット５８とバッテリターミナル６０の内部露出部分６０ａとの間を通過した後、第２連通孔６４を通り、外側筒部材３４の吸気孔１６ａ側の開口から空気通路４０に流入する。第２連通孔６４から空気通路４０に流入した空気は、吸気孔１６ａから空気通路４０に流入した空気と合流した後、ファン５２を通過して、送気孔３６ａからブロワ２の外部に流出する。
【００４１】
上記したように、本実施例のブロワ２は、空気通路４０と、ファン５２と、モータ４６と、制御ユニット５８と、収容室５４と、を備えている。空気通路４０は、空気が流入する吸気孔１６ａ、および空気が流出する送気孔３６ａを有する。ファン５２は、空気通路４０に配置されており、吸気孔１６ａから送気孔３６ａに向けて空気を送る。モータ４６は、ファン５２を回転させる。制御ユニット５８は、モータ４６の駆動を制御する。収容室５４は、制御ユニット５８を収容する。図４に示すように、収容室５４は、ブロワ２の外部と収容室５４とを連通する第１連通孔６６、およびファン５２よりも吸気孔１６ａ側の空気通路４０と収容室５４とを連通する第２連通孔６４を有する。収容室５４には、第１連通孔６６から流入した空気が、制御ユニット５８を通過して、第２連通孔６４から流出する冷却風通路７０が形成されている。ファン５２の回転軸Ｘに沿う方向に関して、第１連通孔６６がファン５２よりも吸気孔１６ａ側に配置されている。この構成では、冷却風通路７０が、ファン５２の回転軸Ｘに沿う方向に関して、ファン５２よりも吸気孔１６ａ側に配置されている第１連通孔６６からファン５２よりも吸気孔１６ａ側に配置されている第２連通孔６４まで延びている。このため、第１連通孔６６がファン５２よりも送気孔３６ａ側に配置されており、第２連通孔６４がファン５２よりも吸気孔１６ａ側に配置されている構成と比較して、冷却風通路７０を短くすることができ、冷却風通路７０を流れる空気の圧力損失を小さくすることができる。ファン５２の回転数を高くすることなく、より少ないエネルギで冷却風通路７０に十分な量の空気を流して制御ユニット５８を冷却することができる。
【００４２】
また、冷却風通路７０は、９０°よりも小さい角度で折り返すことなく、第１連通孔６６から制御ユニット５８を通過して第２連通孔６４に到達する通路を含んでいる。この構成では、冷却風通路７０を流れる空気は、９０°よりも小さい角度で折り返すことなく、第１連通孔６６から制御ユニット５８を通過して第２連通孔６４に流れる。このため、空気が９０°よりも小さい角度で折り返す場合と比較して、冷却風通路７０を流れる空気の圧力損失が小さい。この結果、ファン５２の回転数を高くすることなく、より少ないエネルギで冷却風通路７０に十分な量の空気を流して制御ユニット５８を冷却することができる。
【００４３】
また、ブロワ２は、バッテリ４と、バッテリターミナル６０と、をさらに備えている。バッテリ４は、モータ４６に電力を供給する。バッテリターミナル６０には、バッテリ４が着脱可能に取り付けられる。バッテリターミナル６０の少なくとも一部（即ち内部露出部分６０ａ）は、収容室５４に配置されている。冷却風通路７０を流れる空気が、バッテリターミナル６０の内部露出部分６０ａと、制御ユニット５８と、を通過する。この構成では、冷却風通路７０を流れる空気は、バッテリターミナル６０の内部露出部分６０ａと制御ユニット５８とを通過する。このため、バッテリターミナル６０と制御ユニット５８との両方を冷却することができる。
【００４４】
また、制御ユニット５８とバッテリターミナル６０の内部露出部分６０ａとが、収容室５４内で互いに対向して配置されている。冷却風通路７０を流れる空気が、制御ユニット５８とバッテリターミナル６０の内部露出部分６０ａとの間を通過する。この構成では、冷却風通路７０を流れる空気が、制御ユニット５８とバッテリターミナル６０の内部露出部分６０ａとの間を通過する際に、制御ユニット５８とバッテリターミナル６０との両方を冷却する。このため、空気が制御ユニット５８とバッテリターミナル６０の内部露出部分６０ａとのうちの一方を通過した後に制御ユニット５８とバッテリターミナル６０の内部露出部分６０ａのうちの他方を通過する構成と比較して、冷却風通路７０をより短くすることができ、冷却風通路７０を流れる空気の圧力損失をより小さくすることができる。
【００４５】
また、制御ユニット５８は、ファン５２の回転軸Ｘに沿う方向に対して傾斜している。一般的なブロワでは、ファン５２の回転軸Ｘに沿う方向がブロワ２の長手方向となっている。上記の構成では、ブロワ２の長手方向に関して、制御ユニット５８を収容する収容室５４を小さくすることができ、ブロワ２を長手方向に小型化することができる。
【００４６】
また、図３に示すように、ファン５２は、軸流ファンである。この構成では、ファン５２が遠心ファンである場合と比較して、ブロワ２を小型化することができる。
【００４７】
また、図１に示すように、ブロワ２は、作業者が手で把持してブロワ２を持ち運ぶことが可能なハンドル２４をさらに備えている。この構成では、作業者によるブロワ２の取り回しをよくすることができる。
【００４８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４９】
一実施形態に係るブロワ２では、冷却風通路７０は、９０°よりも小さい角度で折り返して、第１連通孔６６から制御ユニット５８を通過して第２連通孔６４に到達する通路を含んでもよい。
【００５０】
一実施形態に係るブロワ２では、冷却風通路７０において、空気が制御ユニット５８とバッテリターミナル６０の内部露出部分６０ａのうちの一方を通過した後に制御ユニット５８とバッテリターミナル６０の内部露出部分６０ａのうちの他方を通過するように構成してもよい。
【００５１】
一実施形態に係るブロワ２では、上部ハウジング２０にバッテリ４が取り付けられることなく、電源コードを介してブロワ２に電力が供給されてもよい。
【００５２】
一実施形態に係るブロワ２のモータ４６は、アウタロータ型のブラシレスモータであってもよく、ブラシ付きモータであってもよい。
【００５３】
一実施形態に係るブロワ２のファン５２は、遠心ファンであってもよく、斜流ファンであってもよい。
【００５４】
一実施形態に係るブロワ２の制御ユニット５８は、回転軸Ｘに沿う方向に対して直交して配置されていてもよく、回転軸Ｘに沿う方向に対して平行に配置されていてもよい。
【００５５】
一実施形態に係るブロワ２は、背負式ブロワであってもよい。
【００５６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５７】
２      ：ブロワ
４      ：バッテリ
１０    ：本体
１２    ：本体ハウジング
１４    ：下部ハウジング
１６    ：カバー部材
１６ａ  ：吸気孔
２０    ：上部ハウジング
２４    ：上部ハンドル
２４ｂ  ：把持部
３０    ：下部ハンドル
３４    ：外側筒部材
３６    ：ノズル
３６ａ  ：送気孔
４０    ：空気通路
４４    ：内側筒部材
４６    ：モータ
５２    ：ファン
５４    ：収容室
５８    ：制御ユニット
６０    ：バッテリターミナル
６０ａ  ：内部露出部分
６４    ：第２連通孔
６６    ：第１連通孔
７０    ：冷却風通路
Ｘ      ：回転軸
【図１】
2020193580.tif 000003
【図２】
2020193580.tif 000004
【図３】
2020193580.tif 000005
【図４】
2020193580.tif 000006